(57)【特許請求の範囲】
【請求項１】
ユーザーから回収された使用済みドラム缶が再生施設にて再生処理を施された後、再生後のドラム缶が内容物メーカーに供給され、同内容物メーカーからドラム缶に内容物が充填されて前記ユーザーに送られ、このユーザーにて使用済みのドラム缶が再び回収されて前記再生施設に送られて循環する使用済みドラム缶のリサイクル経路の前記ユーザーと再生施設との間および再生施設と内容物メーカーとの間に介在するリサイクル管理者によって管理される管理演算装置を備える使用済みドラム缶のリサイクル管理システムであって、
前記管理演算装置は、演算処理手段と、この演算処理手段に接続されたチェックデータ蓄積手段、納品データ蓄積手段、在庫データ蓄積手段および出力装置で構成され、
前記チェックデータ蓄積手段は、前記リサイクル管理者によってユーザーから回収される使用済みドラム缶に対し、再生施設への搬入が可能か否か  、および再生ドラムに再生して再利用できるかあるいは資源材料として利用すべきかについて行なわれる１次チェックによって得られ、ドラム缶の規格ごとの使用済みドラム缶の再生数および廃棄数よりなる１次チェック結果データと、前記再生施設において再生処理が施された使用済みドラム缶に対し、充分に再利用が可能であるか否かについて行われる２次チェックによって得られ、ドラム缶の規格ごとの使用済みドラム缶の再生数および廃棄数よりなる２次チェック結果データとを記録し、
前記納品データ蓄積手段は、前記内容物メーカーに納入されたドラム缶のうち、再生処理後の使用済みドラム缶と新缶の納入数をドラム缶の規格ごとに納品データとして記録し、
前記演算処理手段は、前記チェックデータ蓄積集団からの前記１次および２次チェック結果データと前記納品データ蓄積手段からの納品データに基づいて、内容物メーカーに納入可能なドラム缶の在庫数をドラム缶の規格ごとに在庫データとして演算し、
前記在庫データ蓄積手段は、上記在庫データを記録し、
前記出力装置は上記在庫データを出力する
ように構成してなる使用済みドラム缶のリサイクル管理システム。
【請求項２】
前記内容物メーカーから発注されたドラム缶の規格および数量が受注データとして前記演算処理手段に入力されると、同演算処理手段により、この受注データが前記在庫データに照会され、必要に応じてドラム缶メーカーに対する新しいドラム缶の発注処理が行われるように構成してなる請求項１に記載の使用済みドラム缶のリサイクル管理システム。
【請求項３】
前記受注データが前記在庫データに照会される際に、再生処理が完了している再生ドラムの数量が不足していても、再生予定あるいは再生処理中の使用済みドラム缶の数量を１次チェック結果データから把握して前記発注処理が行なわれるように構成してなる請求項２に記載の使用済みドラム缶のリサイクル管理システム。
【発明の詳細な説明】
【０００１】
【発明の属する技術分野】
本発明は、使用済みのドラム缶の再利用を確実に行なうためのリサイクル管理システムに関する。
【０００２】
【ドラム缶再利用の現状】
使用済みのドラム缶は、ドラム缶の再生業者によって洗浄や修復等の再生処理が施され、再生ドラムとして再利用されており、現在国内に流通している鋼製ドラム缶の約６割が再生ドラムである。
【０００３】
しかしながら、再生可能な使用済みドラム缶であっても、ユーザーが独自の判断で廃棄処分してしまうことがあり、廃棄処分するにしてもドラム缶の素材金属を資源利用することなく、地中に投棄したり、山中に放棄するケースも少なくない。
【０００４】
また、充分に再利用可能な再生ドラム缶があっても、内容物メーカーでは、新しいドラム缶と再生ドラムの値段の差があまりなければ再生ドラムを使わず、新しいドラム缶を購入して使用するが、使用済みドラム缶を再生する再生施設では、内容物メーカーが新しいドラム缶をどれだけ購入したかを把握することはできず、使用済みドラム缶の再生処理を計画的に行なうことができず、ドラム缶リサイクルの流れに支障を来している。
【０００５】
【目的】
本発明の目的とするところは、使用済みドラム缶の再生ドラムとしての再利用と再生できないドラム缶についての資源としての再利用が確実に行なわれ、使用済みドラム缶が無駄に投棄されることがなく、しかも使用済みドラム缶の再生を確実に行なうことができるリサイクル管理システムを提供することにある。
【０００６】
【本発明のシステム】
上記目的を達成するために、本発明の請求項１に係るリサイクル管理システムは、ユーザーから回収された使用済みドラム缶が再生施設にて再生処理を施された後、再生後のドラム缶が内容物メーカーに供給され、同内容物メーカーからドラム缶に内容物が充填されて前記ユーザーに送られ、このユーザーにて使用済みのドラム缶が再び回収されて前記再生施設に送られて循環する使用済みドラム缶のリサイクル経路の前記ユーザーと再生施設との間および再生施設と内容物メーカーとの間に介在するリサイクル管理者によって管理される管理演算装置を備える使用済みドラム缶のリサイクル管理システムであって、前記管理演算装置は、演算処理手段と、この演算処理手段に接続されたチェックデータ蓄積手段、納品データ蓄積手段、在庫データ蓄積手段および出力装置で構成され、前記チェックデータ蓄積手段は、前記リサイクル管理者によってユーザーから回収される使用済みドラム缶に対し、再生施設への搬入が可能か否か、および再生ドラムに再生して再利用できるかあるいは資源材料として利用すべきかについて行なわれる１次チェックによって得られ、ドラム缶の規格ごとの使用済みドラム缶の再生数および廃棄数よりなる１次チェック結果データと、前記再生施設において再生処理が施された使用済みドラム缶に対し、充分に再利用が可能であるか否かについて行われる２次チェックによって得られ、ドラム缶の規格ごとの使用済みドラム缶の再生数および廃棄数よりなる２次チェック結果データとを記録し、前記納品データ蓄積手段は、前記内容物メーカーに納入されたドラム缶のうち、再生処理後の使用済みドラム缶と新缶の納入数をドラム缶の規格ごとに納品データとして記録し、前記演算処理手段は、前記チェックデータ蓄積集団からの前記１次および２次チェック結果データと前記納品データ蓄積手段からの納品データに基づいて、内容物メーカーに納入可能なドラム缶の在庫数をドラム缶の規格ごとに在庫データとして演算し、前記在庫データ蓄積手段は、上記在庫データを記録し、前記出力装置は上記在庫データを出力するように構成してある。
【０００７】
本発明の請求項２に係るリサイクル管理システムは、前記内容物メーカーから発注されたドラム缶の規格および数量が受注データとして前記演算処理手段に入力されると、同演算処理手段により、この受注データが前記在庫データに照会され、必要に応じてドラム缶メーカーに対する新しいドラム缶の発注処理が行われるように構成してある。
【０００８】
本発明の請求項３に係るリサイクル管理システムは、前記受注データが前記在庫データに照会される際に、再生処理が完了している再生ドラムの数量が不足していても、再生予定あるいは再生処理中の使用済みドラム缶の数量を１次チェック結果データから把握して前記発注処理が行なわれるように構成してある。
【０００９】
【実施例】
以下、本発明に係るリサイクル管理システムの実施例を添付図１〜３に示す具体例に基づいて詳細に説明する。
ドラム缶は、図１のように使用済みドラム缶の洗浄や修復を行なう再生施設１と、内容物メーカー２と、ユーザー３との間をこの順に循環して使用され、この循環経路における上記再生施設１と内容物メーカー２との間およびユーザー３と再生施設１との間のドラム缶の流れは、リサイクル管理者４によって管理される。
【００１０】
このリサイクル管理者４は、使用済みドラム缶のリサイクルの可否や、新しいドラム缶（以下、新缶と称する）の補充等のチェックおよびデータ管理を行なう者としてあり、後述する管理演算装置５へのデータの入出力も行なう。
リサイクル管理者はドラム缶の再生処理に関する専門的知識や技術および経験を要するので、再生施設とともに再生業者６の管轄下におかれる。
なお、同図において、符号７は廃棄される使用済みドラム缶の資源材料化を行なう処分施設、８はドラム缶の製造メーカーをそれぞれ示す。
【００１１】
前記管理演算装置５は、図２に示すように演算処理手段たる中央処理装置９と、この中央処理装置に接続されたチェック結果データ蓄積手段１０、納品データ蓄積手段１１および在庫データ蓄積手段１２を備え、また、演算結果を画面や印字出力するディスプレイ装置やプリンタよりなる出力装置１３を備えていて、管理演算装置にはパソコン等の情報処理装置を利用することができる。
【００１２】
前記チェック結果データ蓄積手段１０は、ユーザー３からの使用済みドラム缶に対して再利用可能かどうかをチェックする１次チェックと、再生施設１にて再生処理が行なわれた後のドラム缶の品質の良否をチェックする２次チェックのチェック結果データが中央処理装置９を介して記録されるものとしてあり、１次チェックと２次チェックにおいてそれぞれ再利用可能と判断されたドラム缶と、廃棄されるドラム缶の数量がドラム缶の規格ごとにチェック結果データとして記録される。
【００１３】
前記納品データ蓄積手段１１は、内容物メーカー２に納品された再生ドラムと新缶の数量よりなるドラム缶の規格ごとの納品データが中央処理装置９を介して記録されるものとしてある。
【００１４】
また、前記在庫データ蓄積手段１２は、前記チェック結果データと納品データに基づいて中央処理装置９で演算された在庫データが記録されるものとしてあり、この在庫データは新たなチェック結果データおよび納品データが入力される度に逐次更新される。
【００１５】
さらに、内容物メーカー２からのドラム缶の発注があると、受注したドラム缶の数量がリサイクル管理者４によって再生ドラムと新缶および規格ごとに受注データとして前記中央処理装置９に入力され、中央処置装置は受注データを前記在庫データ蓄積手段に記録されている在庫データに照会し、在庫量が不足している場合には新缶の発注データを出力装置１３から出力する。
【００１６】
次ぎに、本発明に係るリサイクル管理システムによる使用済みドラム缶の再生処理の流れを図３に示す流れ図に基づいて説明する。
ユーザー３からの使用済みドラム缶は、再生業者６によって回収される（Ｓ１）が、この回収の際、リサイクル管理者４が使用済みドラム缶に対する１次チェック（Ｓ２）を行なう。
【００１７】
この１次チェックにおいては、使用済みドラム缶を清浄化および修復後に再生ドラム缶（以下、再生ドラムと称する）として再利用することができるもの、清浄化は可能であるが修復ができないもの、および清浄化自体が不可能であり、再生施設に搬入することができないものの３種類に区別する。
【００１８】
上述した１次チェックにより、回収された使用済みドラム缶のうちの、再生処理が施されるものと、それ以外のものの数量および規格を１次チェック結果データとして管理演算装置５に入力する（Ｓ３）。
【００１９】
なお、本実施例の説明において、清浄化とは使用済みドラム缶内の残留物を除去する処理を指し、具体的には有機溶剤等による洗浄処理や、ドラム缶自体を焼却炉に入れてドラム缶内の残留物を焼却によって除去する処理を含む。
また、本実施例において、修復とは使用済みドラム缶の変形や損傷を修理し、必要に応じて表面の塗装や内面のコーティング処理を行ない、さらには口金等の付属部品を交換する処理を含む。
【００２０】
上述した１次チェックにおいて、清浄化自体が不可能であると判断される使用済みドラム缶としては、例えば有害化学物質等の搬送、保管に使用されたドラム缶があり、このような使用済みドラム缶は１次チェックの後、再生施設１に搬入されることなく処分施設７に搬送される（Ｓ４）。
【００２１】
この処分施設７に送られた使用済みドラム缶は、中間処分場７ａにて有害物質の分解、除去処理を施し、必要に応じてスクラップヤード７ｂにてスクラップ化した後、製鋼所等の金属素材メーカーに運ばれて金属材料として資源利用される。
【００２２】
また、上述した１次チェックにおいて、清浄化は可能であるが修復はできないと判断される使用済みドラム缶としては、例えば残留内容物は再生施設において処理できるものであるが、缶の損傷が大であって修復不可能であったり、あるいは修復にコストが掛かり過ぎるものがあり、このような使用済みドラム缶は再生施設１に搬入されて清浄化（Ｓ５）の後、不良ドラム缶として修復を行なわずに前記処分施設７に搬送され（Ｓ４）、必要に応じてスクラップヤード７ｂにてスクラップ化した後、金属材料として資源利用される。
【００２３】
清浄化および修復が可能であると判断された使用済みドラム缶は、再生施設１において清浄化および修復処理よりなる再生処理が施され（Ｓ６）、その後リサイクル管理者４によって２次チェック（Ｓ７）に付される。
なお、再生処理において、清浄化の前に修復処理を行なう場合もあり、また、使用済みドラム缶を洗浄によって清浄化するかあるいは焼却によって清浄化するかを再生施設１においてチェックし、より適正な清浄化を行なうようにする場合もある。
【００２４】
この２次チェックにおいては、再生処理後の再生ドラムの品質検査を行ない、前記１次チェックにおいて再生可能と判断されたが、実際は充分な再生を行なうことができなかったものや、再生処理中において損傷を受け、修復できなくなったものを不良ドラムとして前記処分施設７に搬送し（Ｓ４）、必要に応じてスクラップヤード７ｂにてスクラップ化した後、金属材料として資源利用される。
【００２５】
上述した２次チェックにより、再生処理（Ｓ６）が施されたドラム缶のうちの、品質が良好で再生ドラムとして供給できるものと、清浄化や修復が充分に行なわれずに処分施設に搬送（Ｓ４）したものの数量および規格を２次チェック結果データとして管理演算装置５に入力する（Ｓ８）。
【００２６】
以上の１次および２次チェックを経て再生処理が完了した再生ドラムは、リサイクル管理者４において、規格や数量等の在庫管理が行なわれる（Ｓ９）。
この在庫管理は、管理演算装置５の中央処理装置９が前記チェック結果データおよび納品データに基づいて在庫データを演算し、前記在庫データ蓄積手段１２に逐次記録される在庫データが利用される。
【００２７】
リサイクル管理者４は前記内容物メーカー２からの受注も行ない、リサイクル管理者は受注すると（Ｓ１０）受注データを管理演算装置５に入力し（Ｓ１１）、管理演算装置はこの受注データを前記在庫データ蓄積手段１２に記録されている在庫データに照会し（Ｓ１２）、在庫数が不足している場合や、内容物メーカーから新缶の数量指定があった場合には、ドラム缶メーカー８に対する新缶の発注データを出力する（Ｓ１３）。
【００２８】
この際、再生処理が完了している再生ドラムの数量が不足していても、再生予定あるいは再生処理中の使用済みドラム缶の数量を１次チェック結果データから把握することができ、このような状態のドラム缶の数量も考慮に入れて発注データ出力が行なわれるようにする場合もある。
【００２９】
その後、リサイクル管理者４は前記発注データに基づいてドラム缶メーカーへの発注を行ない（Ｓ１４）、再生ドラムまたは新缶のみ、あるいは再生ドラムに新缶を加えて内容物メーカー２に納品し（Ｓ１５）、再生ドラム、新缶の納品数量がドラム缶の規格ごとに納品データとして管理演算装置５に入力される（Ｓ１６）。
【００３０】
上述した実施例においては、リサイクル管理者４を再生業者６の管轄下としているが、使用済みドラム缶に対する前記チェックの機能を充分に有する者であれば、再生業者６とは独立した構成とする場合もある。
【００３１】
また、前記管理演算装置５にパソコン等の情報処理装置を使用しているが、伝票等の帳票へ各データを記録することにより、マニュアル管理を行なう場合もある。
【００３２】
【発明の作用、効果】
本発明に係るリサイクル管理システムは、ユーザーと再生施設との間にリサイクル管理者が介在し、このリサイクル管理者によって使用済みドラム缶の再利用の方法、すなわち再生ドラムに再生して使用するか、あるいはドラム缶の素材を資源材料として利用すべきか、また、資源材料として利用すべきものについては処理施設に搬入可能か否かについての１次チェックが行なわれる。
【００３３】
したがって、使用済みドラム缶に対して最も適正な再生または資源利用化の処理が行なわれ、使用済みのドラム缶が無駄に投棄されることはまずなくなり、もって省資源化を期すことができる。
【００３４】
また、リサイクル管理者によって再生処理後の使用済みドラム缶に対する２次チェックが行なわれるので、再生処理が不十分な再生ドラムが市場に流通するのを防止することができ、再生ドラムが高品質に維持されることによって再生ドラムの信頼性が向上し、内容物メーカーにおける再生ドラムの利用割合が大となり、リサイクル率の向上を期すことができる。
【００３５】
さらに、上記１次チェックおよび２次チェックの結果データがチェックデータ蓄積手段に記録されるとともに、内容物メーカーへのドラム缶の納品データが納品データ蓄積手段に記録され、これらチェック結果データと納品データに基づいて在庫データをリアルタイムに把握することができ、しかも新しいドラム缶の発注数および廃棄処分したドラム缶の数量も把握、管理され、使用済みドラム缶の回収や再生処理を計画的に行なうことが可能となり、再生施設における再生処理コストの低減を期すことができ、また新しいドラム缶の導入数を必要最小限に抑えることができる。
【図面の簡単な説明】
【図１】本発明に係るリサイクル管理システムの構成図。
【図２】管理演算装置の構成の具体例を示す図。
【図３】再生処理の流れを示す図。
【符号の説明】
１  再生施設
２  内容物メーカー
３  ユーザー
４  リサイクル管理者
５  管理演算装置
６  再生業者
７  処分施設
７ａ  中間処分場
７ｂ  スクラップヤード
８  ドラム缶メーカー
９  中央処理装置
１０  チェック結果データ蓄積手段
１１  納品データ蓄積手段
１２  在庫データ蓄積手段
１３  出力装置
【図１】
0004160730.tif 000002
【図２】
0004160730.tif 000003
【図３】
0004160730.tif 000004